(57)【特許請求の範囲】
【請求項１】
遊技機に設けられ、該遊技機で実行される遊技に係る互いに内容が異なった複数の遊技情報を遊技情報信号として夫々出力する複数の遊技情報信号出力端子と、
遊技機が固設される遊技島に設けられ、遊技情報信号を伝送する遊技情報信号用伝送ケーブルを介して遊技情報信号出力端子から出力された遊技情報信号が夫々入力される複数の遊技情報信号入力端子と、
各遊技情報信号入力端子に入力された遊技情報信号に係る遊技情報を夫々認識し、該遊技情報に基づいて所定の制御内容を実行する中央管理制御手段とを備えた遊技機管理システムにおいて、
遊技機に設けられ、各遊技情報信号出力端子から出力される遊技情報信号を夫々特定した信号一覧情報を信号一覧情報データとして出力する信号一覧情報データ出力端子と、
遊技島に設けられ、信号一覧情報データを伝送する信号一覧情報データ用伝送ケーブルを介して信号一覧情報データ出力端子から出力された信号一覧情報データが入力される信号一覧情報データ入力端子とを備えると共に、
前記遊技情報信号用伝送ケーブルは、
各遊技情報信号出力端子に対して夫々固有の遊技情報信号入力端子を不変的に関連付ける端子関連付け手段に従って遊技情報信号出力端子及び遊技情報信号入力端子に夫々接続され、
前記中央管理制御手段は、
信号一覧情報データ入力端子に入力された信号一覧情報データに係る信号一覧情報に基づいて、遊技情報を夫々認識するものであることを特徴とする遊技機管理システム。
【請求項２】
端子関連付け手段は、各遊技情報信号出力端子及び各遊技情報信号入力端子にあらかじめ設けられた視認可能な端子関連付け識別標識であることを特徴とする請求項１記載の遊技機管理システム。
【請求項３】
中央管理制御手段は、信号一覧情報データ出力端子から出力された信号一覧情報データに係る信号一覧情報を遊技機の主電源が投入されたタイミングで認識するものであることを特徴とする請求項１又は請求項２記載の遊技機管理システム。
【請求項４】
中央管理制御手段は、信号一覧情報データに係る信号一覧情報を遊技機の主電源が投入された後のタイミングでも認識するものであり、
該信号一覧情報は、前回認識された信号一覧情報で夫々特定された遊技情報信号と異なる遊技情報信号を夫々特定したものであることを特徴とする請求項３記載の遊技機管理システム。
【請求項５】
遊技機は、遊技島に開閉可能に固着される遊技枠と該遊技枠に脱着可能に配設される遊技盤とで構成されるものであり、
遊技盤の背面に、
遊技情報信号出力端子が配設され、かつ遊技全般を統括制御する遊技制御処理を実行する主制御部を具備した主制御基板と通信可能に接続される盤用外部端子板が固設され、
遊技枠に、
遊技情報信号出力端子が配設され、かつ所定の払出制御コマンドに基づいて払出処理を実行する払出制御部を具備した払出制御基板と通信可能に接続される枠用外部端子板が固設されてなる構成にあって、
信号一覧情報データ出力端子は、前記盤用外部端子板に配設されてなることを特徴とする請求項１乃至請求項４のいずれかに記載の遊技機管理システム。
【請求項６】
遊技機に配設された外部端子板に遊技情報信号出力端子が複数配設された構成にあって、
該遊技情報信号出力端子は、前記外部端子板に配設された単一のコネクタケース内に収容されてなることを特徴と請求項１乃至請求項５のいずれかに記載の遊技機管理システム。
【請求項７】
遊技に係る互いに内容が異なった複数の遊技情報が遊技情報信号として入力される複数の遊技情報信号入力端子を備えた遊技島と、該遊技島に固設され、遊技情報信号を伝送する遊技情報信号用伝送ケーブルを介して前記各遊技情報信号入力端子に遊技情報信号を夫々出力する遊技情報信号出力端子、及び該遊技情報信号出力端子が配設される外部端子板を備えた遊技機と、遊技島と通信可能に接続されて遊技島を介して遊技機の遊技情報を取得する中央管理制御手段とで構成され、前記遊技情報信号用伝送ケーブルは、各遊技情報信号出力端子に対して夫々固有の遊技情報信号入力端子を不変的に関連付ける端子関連付け手段に従って当該遊技情報信号出力端子及び当該遊技情報信号入力端子に夫々接続され、中央管理制御手段は、信号一覧情報データ入力端子に入力された信号一覧情報データに係る信号一覧情報に基づいて遊技情報を夫々認識する遊技機管理システムに用いられる遊技機であって、
外部端子板は、各遊技情報信号出力端子から出力される遊技情報信号を夫々特定した信号一覧情報を信号一覧情報データとして出力する信号一覧情報データ出力端子を具備し、信号一覧情報データを伝送する信号一覧情報データ用伝送ケーブルを介して、遊技島に設けられた、信号一覧情報データが入力される信号一覧情報データ入力端子へ信号一覧情報を送信するものであり、
該外部端子板に複数配設された遊技情報信号出力端子は、当該外部端子板に配設された単一のコネクタケース内に収容されてなることを特徴とする遊技機。
【発明の詳細な説明】
【技術分野】
【０００１】
本発明は、遊技機と遊技機が固設される遊技島とで主に構成される遊技機管理システムに関するものであり、特に、遊技に係る遊技情報の伝送構成に関する。
【背景技術】
【０００２】
一般的なパチンコ機（遊技機）は、パチンコ機が固設される遊技島に対して開閉する遊技枠と、この遊技枠の中央へ脱着可能に嵌め込まれる遊技盤とを備えている。そして、このような遊技島が遊技店内に複数列設されている。また、遊技に係る各種の遊技情報は、管理事務所に設置されているホールコンピュータへ随時送信され、これにより当該パチンコ機が統括的に管理されている。このようなパチンコ機管理システムＸについてさらに詳述すると、図１９に示すように、遊技島には、ホールコンピュータに接続された台管理装置が設けられ、これに対しパチンコ機には、外部端子板が設けられている。ここで、この外部端子板は、送信する遊技情報の内容に応じてさらに２つの端子板に分かれている。一つは、例えば大当り状態の発生や始動口入賞の発生など主に遊技状態を示す盤情報（遊技情報）を送信するための盤用外部端子板であり、もう一つは、例えば賞球払出の発生や球切れ状態の発生など主に払出状態を示す枠情報（遊技情報）を送信するための枠用外部端子板である。すなわち、盤用外部端子板は、始動口スイッチやゲートスイッチと接続している主制御基板にも接続されており、大当り信号、始動口信号、図柄確定信号、ゲート信号など盤情報信号（遊技情報信号）が各々の出力態様及び出力タイミングで入力される。また、枠用外部端子板は、球切れスイッチ、賞球払出センサ、扉開放スイッチと接続している払出制御基板にも接続されており、賞球信号、球切れ信号、扉開放信号など枠情報信号（遊技情報信号）が各々の出力態様及び出力タイミングで入力される。
【０００３】
また、盤用外部端子板と枠用外部端子板とには、入力された遊技情報信号を遊技島の台管理装置側へ出力する遊技情報信号出力端子が設けられている。具体的には、盤用外部端子板に盤情報信号出力端子（遊技情報信号出力端子）が設けられ、枠用外部端子板に枠情報信号出力端子（遊技情報信号出力端子）が設けられている。一方、台管理装置には、これら外部端子板から信号が入力される遊技情報信号入力端子が複数設けられている。そして、この遊技情報信号出力端子と遊技情報信号入力端子とを、遊技情報信号を伝送可能な伝送ケーブルでそれぞれ連結することにより、遊技情報をホールコンピュータへ送信可能としている。また、特に遊技盤を交換する場合には、盤用外部端子板に係る遊技情報信号出力端子についてのみ伝送ケーブルの脱着を行い、いわゆる新台入れ替えに対応可能としている。
【０００４】
ところで、一般的な盤用外部端子板及び枠用外部端子板は、各々その縮小化を図るべく、複数の遊技情報信号出力端子が集約して配設された単一の基板でそれぞれ構成されている。したがって、多数の端子が非常に狭い領域に密集しているため、作業者が伝送ケーブルの接続を行う際に接続箇所を間違えて配線ミスをしてしまうおそれがあった。そこで、従来のパチンコ機としては、送受信する信号又はデータに応じて入出力端子を着色したり、入出力端子やその周辺に識別表示を付したりして問題の解決を図っていた（例えば、特許文献１、又は特許文献２参照。）。また、その他、送信側の制御装置から受信側の制御装置へ所定のビット位置信号を出力し、出力されたビット位置信号を、受信側の制御装置のいずれの端子で受信したか、あるいはどの順番で受信したかを判断して配線ミス（いわゆる逆差し）が生じているか否かを確認する構成も提案されている（例えば、特許文献３参照）。
【０００５】
【特許文献１】特開２０００−１６７２０３号公報
【特許文献２】特開２００４−１６７１５１号公報
【特許文献３】特開２００４−２１５７２２号公報
【発明の開示】
【発明が解決しようとする課題】
【０００６】
しかしながら、上記従来構成には、次のような問題点があった。
（１）パチンコ機に係る製造メーカーや機種が異なると、遊技情報信号出力端子の配列が異なることがある。例えば、大当り信号を出力する遊技情報信号出力端子が、ある機種では盤用外部端子板の最上位置に配設されているにも関わらず、他の機種では最下位置に配設されている場合がある。また、なかには賞球信号の出力端子が、ある機種では盤用外部端子板に配設されているものの、他の機種では枠用外部端子板に配設されている場合もある。さらに、ある機種では特定の信号を出力する遊技情報信号出力端子が設けられているものの、他の機種ではそのような信号に該当する遊技情報がそもそも存在せず、その遊技情報信号出力端子自体が存在していないこともある。一方、台管理装置に係る遊技情報信号入力端子は、それぞれ入力可能な遊技情報信号があらかじめ定められている。例えば、賞球信号が入力されるように定められた入力端子に入力される信号は、常に賞球信号であると認識される。つまり、台管理装置に係る入力端子又はこれに接続された伝送ケーブルが、遊技情報信号の種類毎に別々にあらかじめ設けられている。このため、これまでに述べた構成にあっては、例えばいわゆる新台入れ替え時にパチンコ機と台管理装置とを再接続する場合に、伝送ケーブルを適正な端子へ適宜差し替える必要があった。これは、手間がかかり接続ミスを発生させる一因となる。また、かかる構成は、端子相互を接続する伝送ケーブルが多数となるため、各伝送ケーブルが絡まり易くなって接続作業の妨げになる問題が生じる。なお、仮に、上記従来構成のように各端子に識別表示が付されていたとしても、上記の理由により作業者は新しく取り付けるパチンコ機に設けられた各遊技情報信号出力端子の配設位置をその都度確認し、各端子に対応して再配線しなければならず、結局作業者の作業負担は軽減されないという問題がある。
【０００７】
（２）上記のビット位置信号を出力する従来構成では、送信側の制御装置と受信側の制御装置とが特定のハーネスで正しく配線されているかを確認するため、実際に特定のデータが送信されるハーネスを使用する必要がある。つまり、例えば払出コマンドを送信する払出コマンド用ハーネスの接続確認を行う場合には、その払出コマンド用ハーネスを使用して所定のビット位置信号を出力しなければならない。したがって、接続確認を行うハーネスからは、本来のデータ（例えば払出コマンド）と確認用のデータ（ビット位置信号）との両方が送信されることとなり、ビット位置信号を出力するタイミングを（電源投入時のみに）制限するなどして、受信側で常にこれらを識別する必要がある。これを実現するためには、制御装置の構成が複雑となり、コスト高にもなる。
【０００８】
そこで本発明は、これらの問題を解決することができる遊技機管理システムを提供することを目的とするものである。
【課題を解決するための手段】
【０００９】
本発明は、遊技機に設けられ、該遊技機で実行される遊技に係る互いに内容が異なった複数の遊技情報を遊技情報信号として夫々出力する複数の遊技情報信号出力端子と、遊技機が固設される遊技島に設けられ、遊技情報信号を伝送する遊技情報信号用伝送ケーブルを介して遊技情報信号出力端子から出力された遊技情報信号が夫々入力される複数の遊技情報信号入力端子と、各遊技情報信号入力端子に入力された遊技情報信号に係る遊技情報を夫々認識し、該遊技情報に基づいて所定の制御内容を実行する中央管理制御手段とを備えた遊技機管理システムにおいて、遊技機に設けられ、各遊技情報信号出力端子から出力される遊技情報信号を夫々特定した信号一覧情報を信号一覧情報データとして出力する信号一覧情報データ出力端子と、遊技島に設けられ、信号一覧情報データを伝送する信号一覧情報データ用伝送ケーブルを介して信号一覧情報データ出力端子から出力された信号一覧情報データが入力される信号一覧情報データ入力端子とを備えると共に、前記遊技情報信号用伝送ケーブルは、各遊技情報信号出力端子に対して夫々固有の遊技情報信号入力端子を不変的に関連付ける端子関連付け手段に従って遊技情報信号出力端子及び遊技情報信号入力端子に夫々接続され、前記中央管理制御手段は、信号一覧情報データ入力端子に入力された信号一覧情報データに係る信号一覧情報に基づいて、遊技情報を夫々認識するものであることを特徴とする遊技機管理システムである。
【００１０】
まず、本発明にあって、遊技機の遊技情報信号出力端子と遊技島の遊技情報信号入力端子とを連結作業する際は、本発明に係る端子関連付け手段によって規定される関連付けを考慮しながら行うこととなる。ここで、この遊技情報信号出力端子と遊技情報信号入力端子との対応を定めた関連付けは、両端子を接続するときは常に有効に維持される。例えば、いわゆる新台入れ替えを行った場合でも、その入れ替え前後で両端子の接続関係は変わることがない。すなわち、遊技機と遊技島との間の配線形態が固定されるため、ある遊技情報信号出力端子を適正に遊技情報信号入力端子に接続しようとするとき、作業者は当該遊技情報信号出力端子からいずれの遊技情報に係る信号が出力されるのか、あるいはいずれの遊技情報信号入力端子が当該信号に対応する端子なのか、ということを全く考慮せずに作業することができる。例えば、大当り信号を出力する遊技情報信号出力端子の配設位置が前回の遊技機と異なる遊技機を取り付ける場合であっても、作業者は、新しい遊技機の大当り信号はどの端子から出力されるのかということを確認することなく、ただ単純に端子関連付け手段に従って、相互に対応する遊技情報信号出力端子と遊技情報信号入力端子とを前回の遊技機で接続されていたのと同様に連結すれば良い。次に、本発明は、このようにして順次連結された状態で、信号一覧情報データが遊技機から遊技島に伝送される。かかる信号一覧情報は、本発明に係る信号一覧情報データ用伝送ケーブルを介して伝送されるもので、各遊技情報信号出力端子からいずれの遊技情報に係る信号が出力されるのかをそれぞれ特定した情報である。したがって、中央管理制御手段は、遊技情報信号が入力された遊技情報信号入力端子がいずれの遊技情報信号入力端子であるかをそれぞれ判別可能であることを前提とすると、前記信号一覧情報を取得すれば、どの遊技情報信号入力端子にどの遊技情報に係る遊技情報信号が入力されるかを確実に認識することが可能となる。
【００１１】
例えば、遊技機に「イ」，「ロ」，「ハ」と特徴付けられた三つの遊技情報信号出力端子が設けられ、遊技島に「い」，「ろ」，「は」と特徴付けられた三つの遊技情報信号入力端子が設けられ、出力端子「イ」と入力端子「い」を、出力端子「ロ」と入力端子「ろ」を、出力端子「ハ」と入力端子「は」とをそれぞれ接続する構成とした場合は、次のような信号一覧情報が伝送される。すなわち、出力端子「イ」からは大当り信号が、出力端子「ロ」からは始動口信号が、出力端子「ハ」からは賞球信号がそれぞれ出力される、という内容の情報である。なお、この信号一覧情報が、形式的に、入力端子「い」に大当り信号が、入力端子「ろ」に始動口信号が、入力端子「は」に賞球信号がそれぞれ入力される、という内容の情報であったとしても、結局当該情報は、各端子が相互に不変的に関連付けされていることを考慮すれば各遊技情報信号出力端子から出力される遊技情報信号を特定するものに他ならない。なお、本発明に係る信号一覧情報データ用伝送ケーブルは、遊技情報信号用伝送ケーブルとは別に新たに設けられた構成であるため、従来構成の遊技機に好適に採用することができる。また、「イ」〜「ハ」及び「い」〜「は」は、作業者がこれらの対応関係を考慮しながら配線作業を行うものであり、本発明に係る端子関連付け手段を構成するものである。
【００１２】
ここで、端子関連付け手段は、各遊技情報信号出力端子及び各遊技情報信号入力端子にあらかじめ設けられた視認可能な端子関連付け識別標識である構成が提案される。
【００１３】
かかる構成にあっては、作業者が端子関連付け識別標識を視認しながら遊技情報信号用伝送ケーブルを各端子に接続することとなる。かかる構成とすることにより、作業者は、端子関連付け識別標識を視認しながら、各出力端子からいずれの信号が出力されるのかを考慮せずに単純に接続作業を行えば良い。したがって、接続ミスを従来に比して大きく低減することが可能となる。なお、具体的な例示としては、着色により識別可能とする構成や各端子に番号を付して識別可能とする構成が提案される。また、端子関連付け識別標識が各端子に設けられる構成にあっては、端子関連付け識別標識が直接コネクタケースに付されることに限定されず、端子関連付け識別標識により端子間の関連付けが把握できるように設けられていれば良い。
【００１４】
また、中央管理制御手段は、信号一覧情報データ出力端子から出力された信号一覧情報データに係る信号一覧情報を遊技機の主電源が投入されたタイミングで認識する構成が提案される。
【００１５】
ここで、遊技機の主電源が投入されるタイミングとしては、例えば新台入れ替えで遊技機を交換して新たな遊技機を起動させるときのタイミングが考えられる。このように遊技機が交換された場合でも、かかる構成とすることにより、中央管理制御手段が当該遊技機固有の遊技情報を適正に認識することとなり、取り付けた遊技機を円滑かつ正常に起動させ、該遊技機を管理することができる。
【００１６】
さらに、上記構成にあって、中央管理制御手段は、信号一覧情報データに係る信号一覧情報を遊技機の主電源が投入された後のタイミングでも認識するものであり、該信号一覧情報は、前回認識された信号一覧情報で夫々特定された遊技情報信号と異なる遊技情報信号を夫々特定したものとしても良い。
【００１７】
かかる構成は、中央管理制御手段が、遊技中の任意のタイミングで前回と異なる内容の信号一覧情報を取得することができるようにした構成である。かかる構成にあって、例えば遊技機の主電源が投入されたタイミングで所定の遊技情報信号出力端子から「特別図柄の図柄確定信号」が出力される内容を含む信号一覧情報を認識させ、その後大当りが発生したタイミングで当該出力端子から「大入賞口への入賞球の検出信号」が出力される内容を含む信号一覧情報を認識させる構成が例示されうる。これは、次のような理由に基づくものである。すなわち、大当り中に特別図柄は変動しないため、大当りが発生した後の期間には「特別図柄の図柄確定信号」は出力されない。したがって、かかる期間のみ当該遊技情報信号出力端子を「大入賞口への入賞球の検出信号」が出力される端子とすると、単一の遊技情報信号出力端子から互いに内容が異なる複数の遊技情報を認識させることが可能となり、遊技情報信号出力端子を有効利用することができ、基板の省スペース化を図ることが可能となる。
【００１８】
また、遊技機は、遊技島に開閉可能に固着される遊技枠と該遊技枠に脱着可能に配設される遊技盤とで構成されるものであり、遊技盤の背面に、遊技情報信号出力端子が配設され、かつ遊技全般を統括制御する遊技制御処理を実行する主制御部を具備した主制御基板と通信可能に接続される盤用外部端子板が固設され、遊技枠に、遊技情報信号出力端子が配設され、かつ所定の払出制御コマンドに基づいて払出処理を実行する払出制御部を具備した払出制御基板と通信可能に接続される枠用外部端子板が固設されてなる構成にあって、信号一覧情報データ出力端子は、前記盤用外部端子板に配設されてなる構成が提案される。
【００１９】
ここで、一般的な従来構成の遊技機は、遊技枠と遊技盤とで構成されている。さらに、遊技機に係る遊技情報信号出力端子は、遊技盤の背面に固設された盤用外部端子板と、遊技枠に固設された枠用外部端子板にそれぞれ配設されている。したがって、かかる構成で遊技盤を交換する盤替え作業を行う場合は、盤用外部端子板に配設された遊技情報信号出力端子についてのみ遊技情報信号用伝送ケーブルの差し替えを行えば良く、枠用外部端子板に配設された出力端子については差し替えなくても良い。したがって、信号一覧情報データ出力端子を、前記盤用外部端子板に配設することにより、作業性が向上すると共に、各遊技盤の固有の信号一覧情報が適正に遊技島に伝送されることとなり、交換された遊技機に係る遊技情報が確実に中央管理制御手段で認識される。なお、主制御基板（払出制御基板）と盤用外部端子板（枠用外部端子板）とを通信可能に接続する構成は、公知の接続構成が好適に採用される。
【００２０】
また、遊技機に配設された外部端子板に遊技情報信号出力端子が複数配設された構成にあって、該遊技情報信号出力端子は、前記外部端子板に配設された単一のコネクタケース内に収容されてなる構成が提案される。
【００２１】
ここで、従来構成にあっても、上述のように遊技情報信号出力端子は外部端子板に配設されていた。しかしながら、各遊技情報信号出力端子は、それぞれ個別にコネクタケースに収容されており、全体として遊技情報信号出力端子の数と同数のコネクタケースが外部端子板にそれぞれ配設されていた。一方、本発明は、上述のように、各遊技情報信号出力端子に対して夫々固有の遊技情報信号入力端子が不変的に定められて接続形態が固定され、各遊技情報信号用伝送ケーブルの差し替えが不要な構成であるため、複数の遊技情報信号出力端子を集約し、これらを単一のコネクタケースに収納することができる。そして、かかる構成とすることにより、より一層ケーブルの配線ミスを低減することが可能となると共に、遊技情報信号出力端子の配設領域を縮小化できることが可能となる。なお、かかる構成にあっては、複数の遊技情報信号用伝送ケーブルを一体化した構成とすると、ケーブル相互が絡み合ってしまうことを防止でき、さらに配線作業が容易となる。
【００２２】
また、本発明は、遊技に係る互いに内容が異なった複数の遊技情報が遊技情報信号として入力される複数の遊技情報信号入力端子を備えた遊技島と、該遊技島に固設され、遊技情報信号を伝送する遊技情報信号用伝送ケーブルを介して前記各遊技情報信号入力端子に遊技情報信号を夫々出力する遊技情報信号出力端子、及び該遊技情報信号出力端子が配設される外部端子板を備えた遊技機と、遊技島と通信可能に接続されて遊技島を介して遊技機の遊技情報を取得する中央管理制御手段とで構成され、前記遊技情報信号用伝送ケーブルは、各遊技情報信号出力端子に対して夫々固有の遊技情報信号入力端子を不変的に関連付ける端子関連付け手段に従って当該遊技情報信号出力端子及び当該遊技情報信号入力端子に夫々接続され、中央管理制御手段は、信号一覧情報データ入力端子に入力された信号一覧情報データに係る信号一覧情報に基づいて遊技情報を夫々認識する遊技機管理システムに用いられる遊技機であって、外部端子板は、各遊技情報信号出力端子から出力される遊技情報信号を夫々特定した信号一覧情報を信号一覧情報データとして出力する信号一覧情報データ出力端子を具備し、信号一覧情報データを伝送する信号一覧情報データ用伝送ケーブルを介して、遊技島に設けられた、信号一覧情報データが入力される信号一覧情報データ入力端子へ信号一覧情報を送信するものであり、該外部端子板に複数配設された遊技情報信号出力端子は、当該外部端子板に配設された単一のコネクタケース内に収容されてなることを特徴とする遊技機である。
【００２３】
かかる構成とすることにより、遊技情報信号用伝送ケーブルの接続先が従来構成に比して減少することとなるため、当該ケーブルの配線ミスを低減することが可能となると共に、遊技情報信号出力端子の配設領域を縮小化できる。
【発明の効果】
【００２４】
本発明に係る遊技機管理システムは、各遊技情報信号出力端子から出力される遊技情報信号を夫々特定した信号一覧情報を伝送可能とすると共に、遊技情報信号用伝送ケーブルが端子関連付け手段に従って遊技情報信号出力端子及び遊技情報信号入力端子に夫々接続され、中央管理制御手段が、信号一覧情報を認識した後、該信号一覧情報に基づいて遊技情報を夫々認識する構成としたため、遊技情報信号用伝送ケーブルを接続する際に、作業者は遊技情報信号出力端子からいずれの遊技情報に係る信号が出力されるのか、あるいはいずれの遊技情報信号入力端子が当該信号に対応する端子なのかを考慮しなくて良い。したがって、本発明は作業者の接続ミスを低減できる優れた効果がある。
【００２５】
また、端子関連付け手段を、各遊技情報信号出力端子及び各遊技情報信号入力端子にあらかじめ設けられた視認可能な端子関連付け識別標識とした場合は、作業者は、端子関連付け識別標識を視認しながら接続作業を行えば良いため、接続ミスを従来に比して大きく低減することが可能となる。
【００２６】
また、中央管理制御手段が信号一覧情報を遊技機の主電源が投入されたタイミングで認識する構成とした場合は、新たに取り付けた遊技機を円滑かつ正常に起動させ、該遊技機を管理することができる効果がある。
【００２７】
また、信号一覧情報を遊技機の主電源が投入された後のタイミングでも認識するものであり、該信号一覧情報が、前回認識された信号一覧情報で夫々特定された遊技情報信号と異なる遊技情報信号を夫々特定した構成とした場合は、遊技中の任意のタイミングで前回と異なる内容の信号一覧情報を取得できる利点があり、遊技情報信号出力端子を有効利用できる効果がある。
【００２８】
また、信号一覧情報データ出力端子を盤用外部端子板に配設した構成とした場合は、遊技盤を交換する盤替え作業を行う際に、盤用外部端子板に配設された遊技情報信号出力端子についてのみ遊技情報信号用伝送ケーブルの差し替えを行えば良いため、作業性が向上すると共に、交換した遊技機に係る遊技情報が確実に中央管理制御手段で認識させうる利点がある。
【００２９】
また、遊技情報信号出力端子が、外部端子板に配設された単一のコネクタケース内に収容されてなる構成とした場合は、遊技情報信号用伝送ケーブルの接続先が単一となるため、配線ミスを大幅に低減できる利点があると共に、遊技情報信号出力端子の配設領域を縮小化できる利点もある。
【００３０】
また、本発明の遊技機は、遊技情報信号出力端子を単一のコネクタケースに収納したため、従来に比してケーブルの配線ミスを低減できる効果があると共に、遊技情報信号出力端子の配設領域を縮小化できる効果がある。
【発明を実施するための最良の形態】
【００３１】
<第一実施例>
本発明に係るパチンコ機管理システム１の第一実施例を添付図面に従って説明する。なお、このパチンコ機管理システム１により、本発明に係る遊技機管理システムが構成される。
【００３２】
まず、図１に従ってパチンコ機管理システム１の概要を説明する。
図１に示すように、パチンコ機管理システム１は、複数のパチンコ機１０、複数の遊技データ表示器１５、及び各パチンコ機１０に隣接して設けられるカードユニット１８を備えている。また、パチンコ機１０は、遊技店内に複数設けられる遊技島２０に固着される外枠１１と、この外枠１１へヒンジ部材（図示省略）を介して枢着される遊技枠１２と、遊技枠１２に脱着可能に配設される遊技盤１３とで構成されている。また、本実施例に係るパチンコ機１０は、公知の第１種パチンコ機であり、特別図柄が特定図柄で揃って大当り状態となった場合には次回の大当り発生まで確率変動状態となり、一方、特別図柄が特定図柄以外の図柄で揃って大当りとなった場合には所定回数（５０回）まで時短状態となるものである。なお、このパチンコ機１０により、本発明に係る遊技機が構成される。
【００３３】
また、遊技データ表示器１５（いわゆる呼び出しランプ）は、パチンコ機１０の上方又は側方に設けられ、当該パチンコ機１０で実行される遊技に関する遊技情報を遊技者に表示するものである。例えば、パチンコ機１０で発生した大当り回数や、図柄変動回数（図柄確定回数）を表示したり、内蔵する発光部によって大当り状態や確変状態などを報知したりする機能を備えている。また、遊技店の店員を呼び出す操作ボタンも備えている。
【００３４】
また、前記した各遊技島２０は、台管理装置２５を複数備えている。この台管理装置２５は、パチンコ機１０ごとに一台ずつ設けられるもので、パチンコ機１０、遊技データ表示器１５、及びカードユニット１８から送信される様々な遊技情報が入力される。そしてさらに、所定時間（例えば１分間）毎に後述する島管理装置２６へ遊技情報を送信する。また、台管理装置２５は、後述する中央管理装置２８から出力される各種情報を島管理装置２６を中継して受信し、遊技データ表示器１５等にその情報を出力する。なお、遊技に係る遊技情報の内容については、後で詳述する。
【００３５】
また、本パチンコ機管理システム１は、各遊技島２０に設けられる島管理装置２６を備えている。この島管理装置２６は、複数の台管理装置２５や球計数機２７と互いに通信可能に接続されている。なお、島管理装置２６は、遊技店内に設置される全ての遊技島２０に設けられており、パチンコ機用の遊技島２０に限らず、スロットマシン用の遊技島２０にも設けられている。
【００３６】
また、本パチンコ機管理システム１は、管理事務所等に設けられる中央管理装置２８を備えている。この中央管理装置２８は、各島管理装置２６と互いに通信可能に接続されたホールサーバ２９と、ホールサーバ２９に接続されたホールコンピュータ３０とで構成されている。ここで、ホールサーバ２９は、複数の島管理装置２６から出力される各種情報を受信して遊技島２０毎、あるいはパチンコ機１０毎にデータ収集して記憶する。また、ホールコンピュータ３０は、ホールサーバ２９に蓄積されたデータを読み出して遊技データ表示器１５で所定情報を表示する等の制御内容に基づいて遊技店内のパチンコ機１０等を統括的に管理する。なお、ホールコンピュータ３０には、その他、遊技店内を撮影する監視カメラを備える監視システムや、停電時に備えられた無停電電源装置等も接続されている。なお、本実施例に係る中央管理装置２８により、本発明に係る中央管理制御手段が構成される。
【００３７】
次に、パチンコ機１０と台管理装置２５との接続構成について、図２等に従って詳述する。
パチンコ機１０の背面には、外部端子板４が設けられている。さらに詳述すると、この外部端子板４は、遊技盤１３の裏面に固設された盤用外部端子板４２と、遊技枠１２の裏面に固設された枠用外部端子板４３とで構成されている。各端子板４２，４３は、それぞれ単一のプリント基板で構成されている。そして、盤用外部端子板４２は後述する主制御基板４０へ接続される盤情報入力コネクタ４７と、台管理装置２５へ接続される盤情報出力コネクタＧ１〜Ｇ６とが配設されている。また、枠用外部端子板４３は後述する払出制御基板４１へ接続される枠情報入力コネクタ５３と、台管理装置２５へ接続される枠情報出力コネクタＧ７〜Ｇ９とが配設されている。
【００３８】
前記主制御基板４０は、始動口スイッチ又はゲートスイッチが接続された主制御基板用ＣＰＵ（主制御部）を備えている。この主制御基板用ＣＰＵは、所定の遊技制御処理を実行して始動口スイッチに関する情報等の盤情報を生成し、当該基板に設けられた複数の盤情報信号出力端子（図示省略）から複数の盤情報を盤情報信号（例えば、大当り１信号、大当り２信号、…）としてそれぞれ出力する。ここで、各盤情報信号出力端子は、単一のコネクタケースからなる盤情報出力コネクタ４５内に収納されている。そして、盤情報信号出力端子から出力された盤情報信号は、前記盤用外部端子板４２の盤情報入力コネクタ４７へ盤情報入力ケーブル４９を介して伝送される。
【００３９】
また、払出制御基板４１は、扉開放検出スイッチ、払出球検出スイッチ、及び球切れ検出スイッチが接続された払出制御基板用ＣＰＵ（払出制御部）を備えている。この払出制御基板用ＣＰＵは、所定の払出制御コマンドに基づいて払出処理を実行して払出球に関する情報等の枠情報を生成し、当該基板に設けられた複数の枠情報信号出力端子（図示省略）から複数の枠情報を枠情報信号（例えば、扉開放信号、球切れ信号、…）としてそれぞれ出力する。ここで、各枠情報信号出力端子も単一のコネクタケースからなる枠情報出力コネクタ５２内に収納されている。そして、枠情報信号出力端子から出力された枠情報信号は、前記枠用外部端子板４３の枠情報入力コネクタ５３へ枠情報入力ケーブル５１を介して伝送される。
【００４０】
なお、本実施例に係る枠情報及び盤情報により、本発明に係る遊技情報が構成される。また、本実施例に係る枠情報信号及び盤情報信号により、本発明に係る遊技情報信号が構成される。
【００４１】
次に、台管理装置２５について説明する。
図２に示すように、台管理装置２５には、パチンコ機１０から出力される盤情報信号及び枠情報信号を受信するための遊技情報入力コネクタＤ１〜Ｄ１６が配設されている。具体的には、各コネクタＤ１〜Ｄ１６内に、それぞれ信号が入力される遊技情報信号入力端子（図示省略）が配設されている。そして、盤用外部端子板４２から送信された盤情報信号、及び枠用外部端子板４３から送信された枠情報信号が、遊技情報信号用伝送ケーブル６５を介してそれぞれ伝送される。
【００４２】
ここで、前記盤用外部端子板４２について、図３に従って再度説明する。
盤用外部端子板４２に配設された前記盤情報入力コネクタ４７は、導通可能な金属製の盤情報信号入力端子７２を複数個集約して単一のコネクタケース内に収容したタイプであって、大当り１信号が入力される第１端子と、大当り２信号が入力される第２端子と、大当り３信号が入力される第３端子と、始動口信号が入力される第４端子と、図柄確定信号が入力される第５端子と、ゲート信号が入力される第６端子とを有している。そして、この盤情報入力コネクタ４７（雌型）と主制御基板４０の盤情報出力コネクタ４５（雌型）が、両端にコネクタ７８，７９（雄型）を有する盤情報入力ケーブル４９（図５ａ参照）により連結されている。
【００４３】
ここで、大当り１信号は、大当り遊技中に継続的に出力する信号である。また、大当り２信号は、特別図柄が確変状態である時に継続的に出力する信号である。また、大当り３信号は、普通図柄が時短状態にある時に継続的に出力する信号である。また、始動口信号は、第１種始動口スイッチにて遊技球を検知した時に所定時間（260ms）出力する信号である。また、図柄確定信号は、特別図柄の変動を停止した時に所定時間（130ms）出力する信号である。また、ゲート信号は、ゲートスイッチにて遊技球を検知した時に所定時間（260ms）出力する信号である。
【００４４】
また、上述のように、盤用外部端子板４２には、入力された盤情報信号を台管理装置２５へ出力する盤情報出力コネクタＧ１〜Ｇ６が設けられている。この盤情報出力コネクタＧ１〜Ｇ６は、出力する６種類の盤情報信号に対応して６個設けられている。そして、各コネクタケース内に、盤情報信号を出力する盤情報信号出力端子Ｇ’１〜Ｇ’６がそれぞれ配設されている。ところで、各盤情報信号出力端子Ｇ’１〜Ｇ’６は、それぞれ互いに内容が異なる盤情報信号を出力するものであって、端子Ｇ’１は大当り１信号を、端子Ｇ’２は大当り２信号を、端子Ｇ’３は大当り３信号を、端子Ｇ’４は始動口信号を、端子Ｇ’５は図柄確定信号を、端子Ｇ’６はゲート信号をそれぞれ出力する。
【００４５】
そして、盤用外部端子板４２の盤情報出力コネクタＧ１〜Ｇ６（雌型）と、台管理装置２５の遊技情報入力コネクタＤ１〜Ｄ６（雌型）とが、両端にコネクタ８０，８１（雄型）を有する遊技情報信号用伝送ケーブル６５（図５ｂ参照）によりそれぞれ連結されている。
【００４６】
次に、前記枠用外部端子板４３について、図４に従って再度説明する。
枠用外部端子板４３に配設された前記枠情報入力コネクタ５３は、複数の枠情報信号入力端子７５が収納された単一のコネクタケースで構成され、扉開放信号が入力される第１端子と、球切れ信号が入力される第２端子と、払出信号が入力される第３端子とを有している。そして、この枠情報入力コネクタ５３（雌型）と払出制御基板４１の枠情報出力コネクタ５２（雌型）が、枠情報入力ケーブル５１により連結されている。
【００４７】
ここで、扉開放信号は、扉開放検出スイッチにて遊技枠の開放を検知した時に継続的に出力する信号である。また、球切れ信号は、前部球切れスイッチ又は後部球切れスイッチにて球切れ状態を検知したときに継続的に出力する信号でる。また、払出信号は、払出センサにて１０個遊技球を検知する毎に所定時間（200ms）出力する信号である。
【００４８】
また、上述のように、枠用外部端子板４３には、入力された枠情報信号を台管理装置２５へ出力する枠情報出力コネクタＧ７〜Ｇ９が設けられている。この枠情報出力コネクタＧ７〜Ｇ９は、出力する３種類の枠情報信号に対応して３個設けられている。そして、各コネクタケース内に、枠情報信号出力端子Ｇ’７〜Ｇ’９がそれぞれ配設されている。ところで、枠情報信号出力端子Ｇ’７〜Ｇ’９は、それぞれ互いに内容が異なる枠情報信号を出力するものであって、端子Ｇ’７は扉開放信号を、端子Ｇ’８は球切れ信号を、端子Ｇ’９は払出信号をそれぞれ出力する。
【００４９】
そして、枠用外部端子板４３の枠情報出力コネクタＧ７〜Ｇ９（雌型）と台管理装置２５の遊技情報入力コネクタＤ９〜Ｄ１１（雌型）とが、遊技情報信号用伝送ケーブル６５により連結されている。
【００５０】
なお、前記盤情報信号出力端子Ｇ’１〜Ｇ’６及び枠情報信号出力端子Ｇ’７〜Ｇ’９により、本発明に係る遊技情報信号出力端子が構成される。また、台管理装置２５に配設された上記遊技情報信号入力端子により、本発明に係る遊技情報信号入力端子が構成される。
【００５１】
ここで、各遊技情報信号用伝送ケーブル６５による情報伝送経路により、複数の遊技情報入力ライン６４が構成される。さらに詳述すると、各遊技情報入力ライン６４には、ライン番号Ｌ１〜Ｌ１６がそれぞれ設定されている（図６参照）。例えば、盤情報出力コネクタＧ１と遊技情報入力コネクタＤ１とを結ぶ遊技情報入力ライン６４で構成される伝送経路を遊技情報入力ラインＬ１とし、盤情報出力コネクタＧ２と遊技情報入力コネクタＤ２とを結ぶ遊技情報入力ライン６４を遊技情報入力ラインＬ２とし、…、盤情報出力コネクタＧ１６と遊技情報入力コネクタＤ１６とを結ぶ遊技情報入力ライン６４を遊技情報入力ラインＬ１６としている。したがって、遊技情報入力ライン６４及びライン番号Ｌ１〜Ｌ１６を特定する情報からなる遊技情報入力ライン設定テーブル（図６参照）を中央管理装置２８の記憶領域にあらかじめ記憶させておくことにより、パチンコ機１０から出力された盤情報信号又は枠情報信号がいずれの遊技情報入力ライン６４により伝送されたか、ということが特定可能となる。なお、本実施例の遊技情報入力ライン設定テーブルにあっては、今回とは異なる接続形態でも対応可能とするために、遊技情報入力ライン６４を現在使用しているか否かに関わらず、形成された全ての遊技情報入力ライン６４に関する情報があらかじめ設定されている。
【００５２】
また、パチンコ機１０及びホールコンピュータ３０にあって、盤情報出力コネクタＧ１〜Ｇ６の盤情報信号出力端子Ｇ’１〜Ｇ’６、及び枠情報出力コネクタＧ７〜Ｇ９の枠情報信号出力端子Ｇ’７〜Ｇ’９からそれぞれ出力される遊技情報信号には、遊技情報番号Ｎが設定されている（図７参照）。具体的には、大当り１信号に遊技情報番号Ｎ１が、大当り２信号に遊技情報番号Ｎ２が、…、払出信号に遊技情報番号Ｎ１３がそれぞれ設定されている。したがって、前記遊技情報信号及び遊技情報番号Ｎを特定する情報を中央管理装置２８の記憶領域にあらかじめ記憶させておくことにより、パチンコ機１０から出力された遊技情報番号Ｎに基づいて、例えば大当り２信号が指定された、など遊技情報信号を中央管理装置２８にて特定させることができる。なお、本実施例では、多様な遊技情報信号を受信可能とするために、今回、外部端子板４から送信されない遊技情報信号に関する情報（例えば始動口２信号・満杯信号）も設定されている。
【００５３】
かかる構成にあって、パチンコ機１０の主制御基板４０から出力された盤情報信号は盤用外部端子板４２にまず伝送される。また、払出制御基板４１から出力された枠情報信号は、枠用外部端子板４３にまず伝送される。そして、当該盤情報信号及び枠情報信号は、次に台管理装置２５に出力される。さらに、台管理装置２５に入力された盤情報信号及び枠情報信号は、島管理装置２６を経由して中央管理装置２８のホールサーバ２９に蓄積される。
【００５４】
次に、本発明の要部について説明する。
本発明にあっては、盤情報出力コネクタＧ１〜Ｇ６、枠情報出力コネクタＧ７〜Ｇ９、及び遊技情報入力コネクタＤ１〜Ｄ１６の各側傍には、図３，４に示すように、それぞれコネクタ番号標識Ａが付されている。具体的には、「Ｇ１」、「Ｇ７」、「Ｄ１」等の文字が該当するコネクタケースの横に記載されている。かかる構成にあって、遊技情報信号用伝送ケーブル６５の配線を行う作業者は、このコネクタ番号標識Ａを視認しながら各端子を連結することとなる。具体的には、コネクタＧ１とコネクタＤ１とを、コネクタＧ２とコネクタＤ２とを、…、コネクタＧ６とコネクタＤ６とを、コネクタＧ７とコネクタＤ９とを、コネクタＧ８とコネクタＤ１０とを、コネクタＧ９とコネクタＤ１１とを接続するようあらかじめ規定されている。換言すれば、あらかじめ各盤情報信号出力端子Ｇ’１〜Ｇ’６及び枠情報信号出力端子Ｇ’７〜Ｇ’９に対して、それぞれ固有の遊技情報信号入力端子が定められている。そして、作業者は、この予め定められた端子間の関連付けに従ってコネクタを連結する。なお、本実施例に係るコネクタ番号標識Ａにより、本発明に係る端子関連付け識別標識が構成される。
【００５５】
また、図２に示すように、本パチンコ機管理システム１は、各盤情報出力コネクタＧ１〜Ｇ６の盤情報信号出力端子Ｇ’１〜Ｇ’６、及び各枠情報出力コネクタＧ７〜Ｇ９の枠情報信号出力端子Ｇ’７〜Ｇ’９から出力される遊技情報信号をそれぞれ特定した信号一覧情報を伝送する信号一覧情報伝送ライン６３が設けられている。さらに詳述すると、図３に示すように、盤用外部端子板４２には、主制御基板４０側へ接続される信号一覧情報中継入力コネクタ４６と、台管理装置２５側へ接続される信号一覧情報出力コネクタ６０とがそれぞれ配設されている。また、主制御基板４０には、信号一覧情報入力ケーブル４８を介して前記信号一覧情報中継入力コネクタ４６へ接続される信号一覧情報中継出力コネクタ４４が配設されている。また、台管理装置２５には、前記信号一覧情報出力コネクタ６０と信号一覧情報データ用伝送ケーブル６２を介して接続される信号一覧情報入力コネクタ６１が配設されている。そして、この信号一覧情報データ用伝送ケーブル６２による情報伝送経路により、前記信号一覧情報伝送ライン６３が構成される。
【００５６】
ここで、盤用外部端子板４２の信号一覧情報中継入力コネクタ４６、及び信号一覧情報出力コネクタ６０について詳述する。
図３に示すように、盤用外部端子板４２の左端に配設された縦長の信号一覧情報中継入力コネクタ４６は、単一のコネクタケースにより構成されており、当該コネクタケース内に複数の金属製端子７３が集約されて収納されている。具体的には、主制御基板４０から出力された後述の転送信号が入力される第１端子と、後述の信号一覧情報コマンドが入力される第２〜９端子とを有している。
【００５７】
一方、盤用外部端子板４２の右端に配設された縦長の信号一覧情報出力コネクタ６０も、単一のコネクタケースにより構成されており、当該コネクタケース内に金属製の信号一覧情報データ出力端子７０が複数集約されて収納されている。具体的には、転送信号を台管理装置２５へ出力する第１端子と、信号一覧情報コマンドを出力する第２〜９端子とを有している。
【００５８】
そして、盤用外部端子板４２の信号一覧情報中継入力コネクタ４６（雄型）と主制御基板４０に設けられた信号一覧情報中継出力コネクタ４４（雄型）とが、両端にコネクタ（雌型）を有する信号一覧情報入力ケーブル４８によりデータを伝送可能に連結されている。また、盤用外部端子板４２の信号一覧情報出力コネクタ６０（雄型）と、台管理装置２５に設けられた信号一覧情報入力コネクタ６１（雄型）とが、両端にコネクタ（雌型）を有する信号一覧情報データ用伝送ケーブル６２によりデータを伝送可能に連結されている。
【００５９】
次に、前記信号一覧情報データ用伝送ケーブル６２で伝送される信号一覧情報データ、及び当該データに係る信号一覧情報について説明する。
上述の信号一覧情報データは、主制御基板４０の主制御基板用ＣＰＵから盤用外部端子板４２を介して出力される。具体的にこの信号一覧情報データは、８ビットの信号一覧情報コマンドと１ビットの転送信号とで構成されている。ここで、前記信号一覧情報コマンドは、９種類の遊技情報信号（盤／枠情報信号）のいずれかを特定するための遊技情報番号Ｎを示す「遊技情報番号データ（下位４ビット）」（図７参照）と、この遊技情報番号データが伝送される遊技情報入力ライン６４のライン番号Ｌを示す「ライン番号データ（上位４ビット）」（図６参照）とを対にした信号データである（図９参照）。そして、図６，７に示す、遊技情報入力ライン設定テーブル及び遊技情報データ設定テーブルが、主制御基板４０の記憶領域にも記憶されている。一方、前記転送信号は、図８に示すように、前記信号一覧情報コマンドの受信タイミングを判別するために出力するストローブ信号である。但し、この信号一覧情報コマンドは、盤情報信号か枠情報信号かに関わらず、盤用外部端子板４２及び枠用外部端子板４３から出力される全ての遊技情報信号に対して設定されており、主制御基板４０の記憶領域及び中央管理装置２８の記憶領域に、信号一覧情報コマンド設定テーブル（図１０参照）として記憶されている。
【００６０】
例えば、遊技情報入力ラインＬ４を用いて始動口１信号を伝送する場合、信号一覧情報コマンドとして「00110011（33H）」が記憶される。また、遊技情報入力ラインＬ１１を用いて払出信号を伝送する場合、信号一覧情報コマンドとして「10101100（ACH）」が記憶される。つまり、ホールコンピュータ３０は、上述のように遊技情報信号が入力された遊技情報入力コネクタＤの遊技情報信号入力端子がいずれであるかをそれぞれ判別可能であるため、前記信号一覧情報コマンドが当該ホールコンピュータ３０に送信されれば、どの遊技情報信号入力端子にどの遊技情報に係る遊技情報信号が入力されたのかが確実に認識されることとなる。
【００６１】
なお、前記した盤用外部端子板４２に配設された信号一覧情報データ出力端子７０により、本発明に係る信号一覧情報データ出力端子が構成される。また、前記した台管理装置２５に配設された信号一覧情報データ入力端子により、本発明に係る信号一覧情報データ入力端子が構成される。また、前記した信号一覧情報データ用伝送ケーブル６２により、本発明に係る信号一覧情報データ用伝送ケーブルが構成される。
【００６２】
次に、信号一覧情報データの送受信手順について図１１等に従って説明する。
主制御基板用ＣＰＵは、パチンコ機１０の主電源投入時に、図１１に示すように、各種ＣＰＵの内部情報（レジスタ・ポインタ・割込み）を設定した後に、所定記憶領域に記憶される信号一覧情報コマンドを順次読み出して、信号一覧情報中継出力コネクタ４４の出力端子から同期信号と共に出力する。なお、信号一覧情報中継出力コネクタ４４から出力された信号一覧情報信号は、盤用外部端子板４２及び台管理装置２５を介して、ホールコンピュータ３０へ入力される。
【００６３】
一方、ホールコンピュータ３０は、図１２に示すように、信号一覧情報入力コネクタ６１を監視して転送信号の受信を確認し、転送信号を受信した時点で、当該信号一覧情報入力コネクタ６１の入力端子から受信している信号一覧情報コマンドを読み込んだ後、このコマンドの内容を認識する。さらに詳述すると、読み込んだ信号一覧情報コマンドの下位４ビットと遊技情報データ設定テーブル（ビットパターン）とを比較して、パチンコ機１０側から送信される遊技情報番号及び対応する遊技情報信号を特定する。そして、読み込んだ信号一覧情報コマンドの上位４ビットと遊技情報入力ライン設定テーブル（ビットパターン）とを比較して、前記遊技情報信号が伝送される遊技情報入力ライン６４を特定する。これによって、どの遊技情報入力ライン６４にどの遊技情報信号が入力されるかを設定する。
【００６４】
なお、本実施例では、複数（９個）の信号一覧情報コマンドをほぼ連続的に出力すると共に、転送信号を一定間隔毎に出力する。このようにして、全てのコマンドを送信した時点で信号の出力を停止するようにしている。したがって、ホールコンピュータ３０は、最後の信号一覧情報コマンド及び転送信号を受信した時点から所定時間（例えば１０秒）経過すると、次の転送信号が受信されなかった場合に全て信号一覧情報コマンドが送信されたと判断する。なお、このようなタイマを用いた時間制限によりコマンドの送信終了を判断する以外にも、あらかじめ送信終了のコマンドを設けておき、これを送信するようにしても良い。
【００６５】
ところで、遊技盤１３を交換する場合は、まず、取り付けられているパチンコ機１０の盤用外部端子板４２に配設された信号一覧情報出力コネクタ６０、及び盤情報出力コネクタＧ１〜Ｇ６について分離作業を行う。そうすると、当該遊技盤１３が各種ケーブルによって拘束されることなく、遊技枠１２から離脱させることが可能となる。勿論、遊技枠１２に固設された枠用外部端子板４３の枠情報出力コネクタＧ７〜Ｇ９については分離作業を要しない。そして、新しい遊技盤１３を所定位置に取り付けた後、この遊技盤１３に配設された盤用外部端子板４２についてコネクタの装着作業を行う。ここで、作業者は、コネクタ番号標識Ａを視認しながら盤情報出力コネクタＧ１〜Ｇ６と遊技情報入力コネクタＤ１〜Ｄ６を、枠情報出力コネクタＧ７〜Ｇ９と遊技情報入力コネクタＤ９〜Ｄ１１をそれぞれ連結させる。すなわち、外部端子板４の端子構成が代替え前後で相違していても、本発明に係るコネクタ番号標識Ａによる端子間の関連付けは変わらない。したがって、作業者はどの端子からどのような遊技情報信号が出力されるのか、ということを全く考慮しなくて良い。図１３ａに示されるような接続形態で台管理装置２５と接続されたパチンコ機１０を、図１３ｂに示されるような新しい機種のパチンコ機１０に交換した場合でも、新たに伝送される信号一覧情報に基づいて適正に信号が伝送される。
【００６６】
なお、パチンコ機１０全体（遊技盤１３、遊技枠１２、及び外枠１１）を交換する場合は、パチンコ機１０を遊技島２０に設置した後、台管理装置２５から延びる遊技情報信号用伝送ケーブル６５を、パチンコ機１０の盤情報出力コネクタＧ１〜Ｇ６及び枠情報出力コネクタＧ７〜Ｇ９に各々接続する。また、台管理装置２５から延びる信号一覧情報データ用伝送ケーブル６２を信号一覧情報出力コネクタ６０に接続する。
【００６７】
<第二実施例>
本実施例は、パチンコ機１０の電源投入時に加えて、電源投入後も所定の信号一覧情報コマンドを出力して、遊技情報入力コネクタＤの初期設定を変更するようにした構成である。さらに詳述すると、本実施例に係る信号一覧情報コマンド設定テーブルは、図１４に示すように、第一実施例に係る信号一覧情報コマンド設定テーブル（図１０参照）に加えて次の４つの信号一覧情報コマンドが設定されている。すなわち、コマンド：０ＤＨ（0000 1100）には、ライン番号Ｌ１から普通図柄確定信号を出力することが、コマンド：１ＥＨ（0001 1110）には、ライン番号Ｌ２からリーチ演出信号を出力することが、コマンド：２ＥＨ（0010 1110）には、ライン番号Ｌ３からリーチ演出信号を出力することが、コマンド：３ＦＨ（0011 1111）には、ライン番号Ｌ４から大入賞口入賞信号を出力することがそれぞれ定められている。
【００６８】
そして、主制御基板用ＣＰＵが、図１５に示す本実施例に係る遊技情報データ設定テーブルに基づき、通常遊技状態では、信号一覧情報コマンド：１ＥＨを出力して、遊技情報入力ラインＬ２からリーチ演出信号（リーチ演出パターンを含む変動表示パターンを選択して場合に出力）を出力することとし、中央管理装置２８にて、通常遊技状態におけるリーチ演出回数を計数するようにしている。また、大当り遊技状態では、信号一覧情報コマンド：３ＦＨを出力して、遊技情報入力ラインＬ３から大入賞口入賞信号（大入賞口内の入賞スイッチが球検出した場合に出力）を出力することとし、中央管理装置２８にて、大当り遊技中に大入賞口内への入賞球個数を計数するようにしている。また、時短状態又は確変状態では、信号一覧情報コマンド：０ＤＨを出力して、遊技情報入力ラインＬ１から普通図柄確定信号（普通図柄が当たりで確定した場合に出力）を出力することとし、中央管理装置２８にて、時短又は確変中の普通電動役物の作動回数を計数するようにしている。要は、一つの遊技情報入力ラインＬが、内容が異なる複数の信号を伝送することができるようになる。
【００６９】
<第三実施例>
これまでに述べた構成にあって、盤情報出力コネクタＧ１〜Ｇ６及び枠情報出力コネクタＧ７〜Ｇ９、並びに遊技情報入力コネクタＤ１〜Ｄ１６を、図１６に示すように、それぞれ単一なコネクタケースで構成しても良い。さらに詳述すると、盤情報信号出力端子Ｇ’１〜Ｇ’６を集約して単一で縦長のコネクタケースに収納し、盤情報出力コネクタｇ１とすると共に、枠情報信号出力端子Ｇ’７〜Ｇ’９を集約して単一で縦長のコネクタケースに収納し、枠情報出力コネクタｇ２とする構成が提案される。また、これに伴い、台管理装置２５の遊技情報信号入力端子を、盤情報入力用と枠情報入力用とに区分し、盤情報入力コネクタｄ１と枠情報入力コネクタｄ２とで構成することが望ましい。また、本実施例に係る構成では、盤情報出力コネクタｇ１と盤情報入力コネクタｄ１とを、枠情報出力コネクタｇ２と枠情報入力コネクタｄ２とをそれぞれ連結する遊技情報信号用伝送ケーブル８２を、複数の信号線（例えば、第一から第八の信号線）が内蔵されてなるフラットケーブルを使用している。なお、特に、盤情報を伝送するラインを盤情報入力ライン８３とし、枠情報を伝送するラインを枠情報入力ライン８４としている。
【００７０】
そして、各信号を次のような態様で伝送することが例示される。例えば、大当り１信号は盤情報出力コネクタｇ１内の端子１で出力し、大当り２信号は盤情報出力コネクタｇ１内の端子１で出力し、扉開放信号は枠情報出力コネクタｇ２の端子１で出力し、払出信号は枠情報出力コネクタｇ２の端子３で出力する態様である。
【００７１】
そして、かかる構成では、図１７に示すような遊技情報入力ライン設定テーブルが用いられる。すなわち、かかる設定テーブルは、「盤／枠情報入力ライン８３，８４の各信号線１〜８」と「盤／枠情報入力コネクタｄ１，ｄ２の各端子１〜８」とで構成されている。つまり、信号一覧情報コマンドのライン番号データで指定されるライン番号Ｌについては上記実施例と変更はないが、ライン番号Ｌにより特定される遊技情報入力ライン（盤情報入力ライン８３，枠情報入力ライン８４）の構成は第一実施例と異なってくる。一方、本実施例に係る遊技情報データ及び信号一覧情報コマンドは、第一実施例と同じ構成である。
【００７２】
<第四実施例>
第一から第三実施例は、外部端子板４が盤用外部端子板４２と枠用外部端子板４３とに分けられていたが、外部端子板４を単一のプリント基板で構成しても良い。さらに、第一から第三実施例は、本発明に係る遊技情報信号出力端子が盤情報信号出力端子Ｇ’１〜Ｇ’６と枠情報信号出力端子Ｇ’７〜Ｇ’９とに分けられていたが、本実施例に係る外部端子板４に配設される複数の遊技情報信号出力端子ｇ’とする構成としても良い。さらに詳述すると、図１８に示すように、外部端子板４の遊技情報出力コネクタｇ３を単一のコネクタケースで構成すると共に、台管理装置２５の遊技情報入力コネクタｄ３も単一のコネクタケースで構成するようにしている。そして、両コネクタｇ３，ｄ３を単一のフラットケーブルからなる遊技情報信号用伝送ケーブル８６で連結している。
【００７３】
そして、例えば、大当り１信号は遊技情報出力コネクタｇ３内の端子１から出力し、大当り２信号は遊技情報出力コネクタｇ３内の端子２から出力し、扉開放信号は遊技情報出力コネクタｇ３内の端子９から出力し、払出信号は遊技情報出力コネクタｇ３内の端子１１から出力するようにしている。これにより、本実施例における遊技情報出力コネクタｇ３と遊技情報入力コネクタｄ３とを結ぶ入力ライン８５は、「遊技情報入力ラインの信号線１〜１６」と「遊技情報入力コネクタｄ３の端子１〜１６」とで構成されることとなる。つまり、上記実施例と信号一覧情報コマンドのライン番号データで指定されるライン番号Ｌに変更はないが、ライン番号Ｌにより特定される遊技情報入力ライン８５の構成は第一実施例と異なってくる。そして、本実施例における遊技情報データ及び信号一覧情報コマンドは、第一実施例と同様である。
【００７４】
また、上記第一から第四実施例では、外部端子板４に主制御基板４０と払出制御基板４１とが接続され、両基板４０，４１で管理されている遊技情報が外部端子板４を介して出力される構成であるが、外部端子板４に接続される基板はこれに限定されない。例えば、外部端子板４と演出制御基板とが接続され、演出内容に関する情報が外部端子板４を介して出力される構成としても良い。
【００７５】
なお、上記第一から第四実施例のパチンコ機１０では、盤情報又は枠情報などの遊技情報を出力する外部端子板４が設けられているが、遊技情報を出力する構成としてこれに限定されない。例えば、別途専用の基板（信号一覧情報端子板）が設けられ、この基板を介して所定信号が出力されるようにしても良い。
【００７６】
また、上述のコネクタ番号標識Ａに代えて、各コネクタケースを異なる色で着色してコネクタ相互を識別可能にしても良い。かかる構成も、本発明に係る端子関連付け識別標識に含まれる。また、遊技情報信号出力端子と遊技情報信号入力端子とを不変的に関連付けるその他の手段としては、様々な構成が提案されうる。例えば、複数の遊技情報信号出力端子と複数の遊技情報信号入力端子とがそれぞれ上下方向で一列状に列設されており、上から順に相互の端子を連結させるという関連付け規則をあらかじめ定めておく構成が提案される。本構成は、本発明に係る端子関連付け手段に含まれる。
【００７７】
なお、本実施例のパチンコ機管理システム１は、単一のパチンコ機１０や単一の遊技島２０等で構成されるものを排除するものではない。
【図面の簡単な説明】
【００７８】
【図１】第一実施例に係るパチンコ機管理システム１の概要図である。
【図２】外部端子板４の接続態様を示す説明図である。
【図３】盤用外部端子板４２の正面図である。
【図４】枠用外部端子板４３の正面図である。
【図５】（ａ）は盤情報入力ケーブル４９の外観図であり、（ｂ）は遊技情報信号用伝送ケーブル６５の外観図である。
【図６】第一実施例に係る遊技情報入力ライン設定テーブルを示す図表である。
【図７】第一実施例に係る遊技情報データ設定テーブルを示す図表である。
【図８】転送信号の出力態様を示す説明図である。
【図９】信号一覧情報コマンドの構成を示す説明図である。
【図１０】第一実施例に係る信号一覧情報コマンド設定テーブルを示す図表である。
【図１１】第一実施例に係る電源投入時処理を示すフローチャート図である。
【図１２】第一実施例に係る信号一覧情報受信処理を示すフローチャート図である。
【図１３】（ａ）は、遊技盤交換前のパチンコ機１０に係る接続態様を示す説明図であり、（ｂ）は、交換後のパチンコ機１０に係る接続態様を示す説明図である。
【図１４】第二実施例に係る信号一覧情報コマンド設定テーブルを示す図表である。
【図１５】第二実施例に係る遊技情報データ設定テーブルを示す図表である。
【図１６】第三実施例に係る外部端子板４の接続態様を示す説明図である。
【図１７】第三実施例に係る遊技情報入力ライン設定テーブルを示す図表である。
【図１８】第四実施例に係る外部端子板４の接続態様を示す説明図である。
【図１９】従来構成のパチンコ機管理システムＸの接続態様を示す説明図である。
【符号の説明】
【００７９】
１  パチンコ機管理システム。
４  外部端子板
１０  パチンコ機
１２  遊技枠
１３  遊技盤
２０  遊技島
２８  中央管理装置（中央管理制御手段）
４０  主制御基板
４１  払出制御基板
４２  盤用外部端子板
４３  枠用外部端子板
６２  信号一覧情報データ用伝送ケーブル
６５，８２，８６  遊技情報信号用伝送ケーブル
７０  信号一覧情報データ出力端子
Ａ  端子関連付け識別標識
Ｇ’１〜Ｇ’６  盤情報信号出力端子（遊技情報信号出力端子）
Ｇ’７〜Ｇ’９  枠情報信号出力端子（遊技情報信号出力端子）
【図１】
0004829621.tif 000002
【図２】
0004829621.tif 000003
【図３】
0004829621.tif 000004
【図４】
0004829621.tif 000005
【図５】
0004829621.tif 000006
【図６】
0004829621.tif 000007
【図７】
0004829621.tif 000008
【図８】
0004829621.tif 000009
【図９】
0004829621.tif 000010
【図１０】
0004829621.tif 000011
【図１１】
0004829621.tif 000012
【図１２】
0004829621.tif 000013
【図１３】
0004829621.tif 000014
【図１４】
0004829621.tif 000015
【図１５】
0004829621.tif 000016
【図１６】
0004829621.tif 000017
【図１７】
0004829621.tif 000018
【図１８】
0004829621.tif 000019
【図１９】
0004829621.tif 000020